(57)【特許請求の範囲】
【請求項１】
ブラケット（４）に、肩かけアーム（５）が、ピンＡ（７）にて結合され、又、肩かけアーム（５）とリンク（６）がピンＢ（８）にて結合され、又、左右のリンク（６）がスライドブラケット（３）に裏表でピンＡ（７）にて結合され、そのスライドブラケット（３）がブラケット（４）の矩形穴にガイドされながら、上下にスライド出来る５関節リンク機構において、ブラケット（４）中央表面側にセット用くぼみ（１１）、押し用くぼみ（１２）を各々裏表に設け、ブラケット（４）のセット用くぼみ（１１）を親指で押える事の出来るようにスライドブラケット（３）上部の位置に固着させたにぎり（２）を設け、そのにぎり（２）の上部に回転可能としたフック（１）を設け、又、肩かけアーム（５）先端外側に、展開用円形ガイド（１４）を設け、その形状は、半径１２〜２５ｍｍとし、スライドブラケット（３）の下端に設けられた装入用円形ガイド（１３）の先端Ｒ形状の延長線（１５）よりはみ出さない形状とし、又、スライドブラケット（３）に肩かけアーム（５）の最先端（１８）が、装入用円形ガイド（１３）の背後に来る様にセットストッパ（１０）を設け、又、展開の位置決め用の展開ストッパ（９）をスライドブラケット（３）の片側に設けてなる折り畳みハンガー。
【請求項２】
ブラケット（４）に、肩かけアーム（５）が、ピンＡ（７）にて結合され、又、肩かけアーム（５）とリンク（６）がピンＢ（８）にて結合され、又、左右のリンク（６）がスライドブラケット（３）に左右１ケ所づつ、各々ピンＢ（８）にて結合され、そのスライドブラケット（３）がブラケット（４）の矩形穴にガイドされながら、上下にスライド出来る６関節リンク機構において、ブラケット（４）中央表面側にセット用くぼみ（１１）、押し用くぼみ（１２）を各々裏表に設け、ブラケット（４）のセット用くぼみ（１１）を親指で押える事の出来るようにスライドブラケット（３）上部の位置に固着させたにぎり（２）を設け、そのにぎり（２）の上部に回転可能としたフック（１）を設け、又、肩かけアーム（５）先端外側に、展開用円形ガイド（１４）を設け、その形状は、半径１５〜２５ｍｍとし、スライドブラケット（３）の下端に設けられた装入用円形ガイド（１３）の先端Ｒ形状の延長線（１５）よりはみ出さない形状とし、又、スライドブラケット（３）に肩かけアーム（５）の最先端（１８）が装入用円形ガイド（１３）の背後に来る様にセットストッパ（１０）を設け、又、展開の位置決め用の展開ストッパ（９）をスライドブラケット（３）の片側に設けてなる折り畳みハンガー。
【発明の詳細な説明】
【技術分野】
【０００１】  本発明は、丸くびセーター等に、簡単に着脱出来る折り畳みハンガーに関するものである。
【背景技術】
【０００２】  従来、人間の肩形状を模した１体型の木やプラスチックのハンガー、又は、２つ折りのハンガー、又は、簡易形のはりがねハンガー等があります。
【先行技術文献】
【特許文献】
【０００３】
【特許文献１】特開２００３−１６９７４３
【特許文献２】特開２００２−３０６３０９
【非特許文献】
【０００４】
【非特許文献１】実開平０７−０００１７６
【非特許文献２】実開昭５０−１４３７１９
【非特許文献３】実開昭４７−０２０４３２  等、様々な５関節、又は、６関節リンク機構で、中央にすべり軸を通す折り畳みハンガーがあります。
【発明の概要】
【発明が解決しようとする課題】
【０００５】  従来、丸くびセーター等を吊り下げ様とすれば、腹部穴より吊り下げフックを上部にし、引っかからない様にしながら、吊り下げフックをくび穴より出して吊り下げていた。又、通常、形状的にかさばり、収納に不便であり、輸送コストも大きい。【０００６】  ５、又は、６関節リンク機構で、中央にすべり軸を通す折り畳みハンガーは、セット形状を保つ場合、片手で自由な方向に向ける操作が出来ない為、取り扱いが非常に面到で服に引っかかりやすく、そのままでの実現性が非常に低い。
【課題を解決する為の手段】
【０００７】  今、図１、図２、図３で説明すれば、ブラケット４に、左右共通又は１対の肩かけアーム５が、ピンＡ７にて結合され、又、肩かけアーム５とリンク６がピンＢ８にて結合され、又、左右のリンク６が、スライドブラケット３に裏表でピンＡ７にて結合され、そのスライドブラケット３がブラケット４の矩形穴にガイドされながら、上下にスライド出来る５関節リンク機構において、
【０００８】  又、図１２、図１３、図１４で説明すれば、ブラケット４に、左右共通又は１対の肩かけアーム５が、ピンＡ７にて結合され、又、肩かけアーム５とリンク６がピンＢ８にて結合され、又、左右のリンク６が、スライドブラケット３に、左右１ケ所づつ、各々ピンＢ８にて結合され、そのスライドブラケット３がブラケット４の矩形穴にガイドされながら、上下にスライド出来る６関節リンク機構において、
【０００９】  ブラケット４、中央表面側にセット用くぼみ１１、押し用くぼみ１２を各々裏表に設ける。（図４、図６、図７、図８参照）
【００１０】  ブラケット４のセット用くぼみ１１から親指で押える事の出来る上部の位置に、にぎり２を設け、そのにぎり２の上部に、回転可能としたフック１を設ける。（図４、図６、図７、８参照）
【００１１】  肩かけアーム５先端外側に、展開用円形ガイド１４を設ける。なおその形状は、半径１２〜２５ｍｍとし、装入用円形ガイド１３の先端Ｒ形状の延長線１５よりはみ出さない形状とする。（図１参照）
【００１２】  スライドブラケット３に、肩かけアーム５の最先端１８が装入用円形ガイド１３の背後に来る様に、セットストッパ１０を設ける。又、展開の位置決め用の展開ストッパ９を片側に設ける。（図１〜図３参照）
【発明の効果】
【００１３】  丸くびセーター等が簡単に着脱出来る。
【００１４】  丸くびセーター等を持つ場所が襟部のみでも可能な位に手のよごれが付着しにくいので清潔である。
【００１５】  嵩ばらず収納でき、輸送コストも低減出来る。
【図面の簡単な説明】
【００１６】
【図１】本発明の１実施例を示す５関節の折り畳みハンガーのセット時の平面図、
【図２】上記の側面図、
【図３】上記の展開時の平面図、
【図４】上記のセット時の立体図、
【図５】上記の展開時の立体図、
【図６】にぎり２をにぎり、親指でブラケット４を押えた時の平面図、
【図７】上記のＡ−Ａ線断面図、
【図８】上記の状態から、親指で押そうとしている時のＡ−Ａ線断面図、
【図９】図３のＢ−Ｂ線断面図で、ピンＢ８の抜け止め１７を取付けた時を表わした１案を示したものである。
【図１０】上記にて、抜け止め方法をスナップフィット方法とした１案を示したものである。
【図１１】ブラケット４の材料が木の場合、部品材として、構成させた場合の立体図。
【図１２】本発明の１実施例を示す６関節の折り畳みハンガーのセット時の平面図。
【図１３】上記の側面図。
【図１４】上記の展開時の平面図。
【発明を実施するための形態】
【００１７】  以下、本発明を実施するための形態として、上下にスライド出来る５関節リンク機構の、１実施例を図１〜図１１について説明すると。
【００１８】  にぎり２、ブラケット４、肩かけアーム５、リンク６の材料は、木材、又は、プラスチックとする。
【００１９】  ブラケット４の材料を木材とする場合は、部品材として、プレート４ａ、スライドガイド４ｂ、各２個を接着にて固着させ、ブラケット４を構成すれば良い。（図１１参照）
【００２０】  スライドブラケット３の材料は、木材、又は、熱可塑性プラスチックとする。
【００２１】  フック１とにぎり２の取付方法は、円周方向に回転可能とする現行の取付方法のカシメ等とする。又、フック１の材料は、鋼材でメッキ等の現行と同一で良い。（図１参照）
【００２２】  にぎり２とスライドブラケット３の取付方法は、接着にて固着させる。ただし、両方共材料が熱可塑性プラスチックの場合は、溶着で固着させて良い。（図１参照）
【００２３】  スライドブラケット３の材料が熱可塑性プラスチックの場合は、展開ストッパ９は１体型として設ける。又、スライドブラケット３の材料が木材の場合は、展開ストッパ９の材料も木材とし、接着にて固着させる。（図１参照）
【００２４】  ピンＢ８の頭部形状、及び、抜け止め１７の外観形状は、引っかかりにくい様に、通常の座面径の１、２〜１、８倍とした円弧形状が良い。（図９、図１０参照）
【００２５】  ピンＢ８の抜け止め方法は、ピンＢ８の材料が熱可塑性プラスチックの場合は、抜け止め１７の材料も同一とし、ピンＢ８に接着、又は溶着とする。又、ピンＢ８の材料がアルミの場合は、抜け止め１７の材料も同一とし、接着にて固着させる。（図９参照）
【００２６】  ピンＢ８の材料が熱可塑性プラスチックで抜け止め１７の材料も同一の場合、図１０の様なスナップフィット方法を用いても良い。
【００２７】  ピンＡ７は、首下長さ以外はピンＢ８と同一とする。又、抜け止め方法もピンＢ８と同一とする。
【００２８】  肩掛けアーム５の展開用円形ガイド１４の形状は、セーターの編み目の大きさや装入幅の制約により、引っかかりを防止しやすい半径として、１２〜２５ｍｍとしブラケット４側の直線部となめらかにつなぐ形状とするのが良い。（図１、図３参照）
【００２９】  スライドブラケット３の装入用円形ガイド１３の半径は、装入幅、及び、セットストッパ１０の位置、及び、装入のしやすさより半径５０〜７０ｍｍが良い。（図１、図３参照）
【００３０】  セーターを取りはずす時に、ブラケット４を持ち上げるのに指を装入する為、又、全幅の制限よりブラケット４の下部面１６の幅は、図１のセット状態で指の太さプラス３〜８ｍｍが良い。
【００３１】  以上の構成であるから、折り畳みハンガーが展開形状、図３の状態の場合、にぎり２を片手でにぎり、装入用円形ガイド１３側を斜め上方に向け、持ち上げれば、ブラケット４や肩かけアーム５等の自重により下降しはじめ、肩かけアーム５がセットストッパ１０と当たり、セット状態、図１の形状となる。（図１〜図４参照）
【００３２】  このセット状態、図１で、にぎり２側の親指をセット用くぼみ１１にかけて押え、もしくは多少引く事により、セットストッパ１０に常に当たる状態を保つ事が出来、折り畳みハンガーを片手で自由な方向に向ける事が出来る。（図４、図６〜８参照）
【００３３】  この状態で残りの片手で、丸くびセーターの襟のタグの場所を持ち、折り畳みハンガーの装入用円形ガイド１３側を丸くび穴に装入し、セット用くぼみ１１の位置に、丸くびセーターのタグが来た時、タグ側の指と折り畳みハンガー側の親指とを入れ替え、押え直しながら両手を左右に広げれば、展開用円形ガイド１４の形状により、先端がセーターの編み目より大きい為、丸くびセーター内を引っかかる事なく肩かけアーム５が広がり、ブラケット４が展開ストッパ９と当たり、図３の展開形状となる。（図４、図５参照）
【００３４】  この状態は、丸くびセーターの襟のタグの場所と、セット用くぼみ１１の位置が丸くびセーターをかけた時の位置と大体一到する為、多少のズレを直すだけで丸くびセーターをかけた状態となります。（図５参照）
【００３５】  又、丸くびセーターを取りはずす場合は、片手でにぎり２をつかみ、残りの片手の指で、ブラケット４の下部面１６を上部に持ち上げれば、丸くびセーターは肩掛けアーム５上をすべりながら落下し、簡単に取りはずせます。（図５参照）
【符号の説明】
【００３６】  １、フック    ２、にぎり    ３、スライドブラケット    ４、ブラケット    ４ａ、プレート    ４ｂ、スライドガイド    ５、肩かけアーム    ６、リンク    ７、ピンＡ    ８、ピンＢ    ９、展開ストッパ    １０、セットストッパ    １１、セット用くぼみ    １２、押し用くぼみ    １３、装入用円形ガイド    １４、展開用円形ガイド    １５、延長線    １６、下部面    １７、抜け止め    １８、最先端
【図１】
0005867956.tif 000002
【図２】
0005867956.tif 000003
【図３】
0005867956.tif 000004
【図４】
0005867956.tif 000005
【図５】
0005867956.tif 000006
【図６】
0005867956.tif 000007
【図７】
0005867956.tif 000008
【図８】
0005867956.tif 000009
【図９】
0005867956.tif 000010
【図１０】
0005867956.tif 000011
【図１１】
0005867956.tif 000012
【図１２】
0005867956.tif 000013
【図１３】
0005867956.tif 000014
【図１４】
0005867956.tif 000015